(57)【要約】【課題】薬剤の円滑な投与を可能としたマイクロニードルを提供する。【解決手段】マイクロニードル１０は、支持面１１Ｓを有する基体部１１と、支持面１１Ｓから突き出た突起部１２とを備える。突起部１２は、突起部１２の内部において突起部１２の基端から先端に向けて延びる主流路１５ｍと、主流路１５ｍから突起部１２の周面に向けて延びて当該周面に開口する副流路１５ｓとを有し、主流路１５ｍにおける当該主流路１５ｍの延びる方向の両端部のうち、突起部１２の基端側の端部は支持面１１Ｓを貫通する開口端であり、突起部１２の先端側の端部は閉塞されており、副流路１５ｓの延びる方向と直交する断面において副流路１５ｓが区画する領域の面積は、３００μｍ２以上である。【選択図】図１
2018171330.tif 000002
【特許請求の範囲】
【請求項１】
支持面を有する基体部と、
前記支持面から突き出た突起部と、を備え、
前記突起部は、前記突起部の内部において前記突起部の基端から先端に向けて延びる主流路と、前記主流路から前記突起部の周面に向けて延びて前記周面に開口する副流路とを有し、
前記主流路における当該主流路の延びる方向の両端部のうち、前記突起部の基端側の端部は前記支持面を貫通する開口端であり、前記突起部の先端側の端部は閉塞されており、
前記副流路の延びる方向と直交する断面において前記副流路が区画する領域の面積は、３００μｍ２以上である
マイクロニードル。
【請求項２】
前記副流路の延びる方向と直交する断面において前記副流路が区画する領域の面積は、７００μｍ２以上である
請求項１に記載のマイクロニードル。
【請求項３】
前記副流路の延びる方向と直交する断面において前記副流路が区画する領域の面積は、８０００μｍ２以下である
請求項１または２に記載のマイクロニードル。
【請求項４】
前記突起部の周面は、前記突起部の尖端点を縁部に含み前記支持面に対して傾斜した尖端面と、前記縁部のなかで前記尖端点を含む辺を前記尖端面と共有する側面と、前記縁部のなかで前記尖端点を含まない辺を前記尖端面と共有する側面とを含み、
前記副流路は、前記尖端点を含まない辺を前記尖端面と共有する前記側面に開口している
請求項１〜３のいずれか一項に記載のマイクロニードル。
【請求項５】
前記突起部は、前記支持面から延びる柱体形状を有する柱状部と、前記柱状部の頂部から延びて前記突起部の先端に向かって尖る錐状部とを有し、
前記副流路は前記錐状部の周面に開口している
請求項１〜４のいずれか一項に記載のマイクロニードル。
【発明の詳細な説明】
【技術分野】
【０００１】
本発明は、薬剤の投与のために用いられるマイクロニードルに関する。
【背景技術】
【０００２】
ワクチン等の薬剤を体内に投与する方法として、マイクロニードルを用いる方法が知られている。マイクロニードルは、先端に向かって尖った針形状を有する突起部を基体部の表面に備えている。マイクロニードルを用いる投与方法は、突起部を皮膚に刺すことによって皮膚に孔を形成し、この孔から薬剤を皮内に送り込むことで薬剤を投与する方法である。突起部の長さは、皮膚における真皮層の神経細胞に達しない長さであるため、マイクロニードルを用いる投与方法では、注射針を用いて皮下に薬剤を投与する方法と比べて、皮膚に孔が形成されるときの痛みが抑えられる。
【０００３】
マイクロニードルを用いた薬剤の投与方式の１つでは、突起部の延びる方向に基体部と突起部とを貫通する貫通孔が形成されたマイクロニードルが用いられ、貫通孔を通して液状の薬剤が皮内に投与される（例えば、特許文献１参照）。こうしたマイクロニードルは、例えば、注射針のように注射筒に取り付けられて用いられる。薬剤の投与に際しては、注射筒の備える押子が押されることによって、注射筒の外筒に充填されている薬剤が突起部に向けて押圧され、その結果、薬剤は、貫通孔を通って突起部の先端から出て皮内に入る。
【先行技術文献】
【特許文献】
【０００４】
【特許文献１】特開２０１５−７０８６９号公報
【発明の概要】
【発明が解決しようとする課題】
【０００５】
ところで、針の先端が皮下に到達する皮下注射と異なり、薬剤が投与されている間、マイクロニードルの突起部の先端は皮内に位置する。この皮内では皮下と比べて密に組織が詰まっていること、突起部の貫通孔の径が一般的な注射針の貫通孔の径と比較して小さいこと、貫通孔の内部に皮膚の組織が入り込むこと、こうした要因によって、貫通孔から皮内へ薬剤が円滑に流れ出ることが妨げられる場合がある。それゆえ、皮内への薬剤の円滑な投与の観点からは、突起部が有する薬剤の流路の構成には、未だ改良の余地が残されている。
本発明は、薬剤の円滑な投与を可能としたマイクロニードルを提供することを目的とする。
【課題を解決するための手段】
【０００６】
上記課題を解決するマイクロニードルは、支持面を有する基体部と、前記支持面から突き出た突起部と、を備え、前記突起部は、前記突起部の内部において前記突起部の基端から先端に向けて延びる主流路と、前記主流路から前記突起部の周面に向けて延びて前記周面に開口する副流路とを有し、前記主流路における当該主流路の延びる方向の両端部のうち、前記突起部の基端側の端部は前記支持面を貫通する開口端であり、前記突起部の先端側の端部は閉塞されており、前記副流路の延びる方向と直交する断面において前記副流路が区画する領域の面積は、３００μｍ２以上である。
【０００７】
上記構成によれば、副流路の開口は突起部の周面に位置し、この開口から薬剤が皮内に放出される。突起部が皮膚に刺さった状態において、皮内の組織は、突起部の長さ方向よりも幅方向に広く広がっているため、従来のように突起部の長さ方向に沿った貫通孔の端部が突起部の尖端付近に開口している構成よりも、上記構成の方が、皮下への薬剤の漏れを抑えて皮内に薬剤を拡散させやすい。そして、こうした副流路における上記面積が３００μｍ２以上であることによって、副流路から皮内へ薬剤を円滑に放出することができる。
上記構成において、前記副流路の延びる方向と直交する断面において前記副流路が区画する領域の面積は、７００μｍ２以上であることが好ましい。
上記構成によれば、副流路の大きさが十分に確保され、副流路から皮内へ薬剤をより円滑に放出することができる。
【０００８】
上記構成において、前記副流路の延びる方向と直交する断面において前記副流路が区画する領域の面積は、８０００μｍ２以下であってもよい。
上記構成によれば、ヒトはもちろん、小動物を投与対象とする場合でも、皮膚の厚さに対する副流路の開口の大きさが大きすぎないため、皮内への薬剤の的確な投与が可能である。
【０００９】
上記構成において、前記突起部の周面は、前記突起部の尖端点を縁部に含み前記支持面に対して傾斜した尖端面と、前記縁部のなかで前記尖端点を含む辺を前記尖端面と共有する側面と、前記縁部のなかで前記尖端点を含まない辺を前記尖端面と共有する側面とを含み、前記副流路は、前記尖端点を含まない辺を前記尖端面と共有する前記側面に開口していてもよい。
【００１０】
支持面と対向する方向から見て、尖端点が尖端面の縁部に位置する構成では、突起部が皮膚に刺さるとき、突起部は、尖端面を押圧する力、すなわち、突起部の中心に対して尖端点が位置する側に突起部を倒そうとする力を大きく受ける。副流路が、尖端点を含まない側面に開口している構成であれば、副流路が尖端点を含む側面に開口している構成と比較して、上記突起部を倒そうとする力に対する突起部の強度が高められる。
【００１１】
上記構成において、前記突起部は、前記支持面から延びる柱体形状を有する柱状部と、前記柱状部の頂部から延びて前記突起部の先端に向かって尖る錐状部とを有し、前記副流路は前記錐状部の周面に開口していてもよい。
【００１２】
上記構成によれば、突起部が、先端に向けて尖る錐状部を有していることによって、皮膚に突起部が刺さりやすい。その一方で、突起部が、柱状部を有しているため、突起部によって形成された孔の径が皮膚の表面付近で広がることが抑えられる。その結果、皮内に投与された薬剤が皮膚の表面に漏れにくくなる。そして、副流路が錐状部の周面に開口しているため、薬剤が皮膚の表面に漏れにくくなる効果が高められる。
【発明の効果】
【００１３】
本発明によれば、薬剤の円滑な投与を可能とすることができる。
【図面の簡単な説明】
【００１４】
【図１】マイクロニードルの一実施形態について、（ａ）は、正面側から見たマイクロニードルの斜視構造を示す斜視図、（ｂ）は、背面側から見たマイクロニードルの斜視構造を示す斜視図。
【図２】一実施形態のマイクロニードルについて、（ａ）は、主流路と副流路との斜視構造を示す図、（ｂ）は、副流路の延びる方向に沿った断面での断面構造を示す図。
【図３】一実施形態のマイクロニードルの断面構造の他の例を示す断面図。
【図４】一実施形態のマイクロニードルの平面構造を示す平面図。
【図５】一実施形態のマイクロニードルが注射筒に取り付けられた形態を、注射筒の備える外筒の一部を破断して示す図。
【図６】変形例のマイクロニードルの斜視構造を示す斜視図。
【図７】変形例のマイクロニードルの斜視構造を示す斜視図。
【図８】試験例１〜１１について、副流路面積と純水の放出に要する時間との関係を示すグラフ。
【図９】図８の一部を拡大して示すグラフ。
【発明を実施するための形態】
【００１５】
図１〜図６を参照して、マイクロニードルの一実施形態について説明する。
［マイクロニードルの全体構成］
図１（ａ）および（ｂ）が示すように、マイクロニードル１０は、支持面１１Ｓを有する基体部１１と、支持面１１Ｓから突き出た突起部１２とを備えている。
【００１６】
支持面１１Ｓは、突起部１２の基端を支持している。支持面１１Ｓの形状は特に限定されず、支持面１１Ｓは円形状であってもよいし、多角形形状であってもよい。基体部１１は、図１に示す例のように平板状であってもよいし、あるいは、支持面１１Ｓから突起部１２とは反対方向に延びる筒状であってもよい。基体部１１は、基体部１１の外周部等に、マイクロニードル１０に液状の薬剤である液剤を供給するための器具とマイクロニードル１０とを接続するための溝や突起等の構造を有していてもよい。
【００１７】
突起部１２は、支持面１１Ｓから延びる柱体形状を有する柱状部１３と、柱状部１３の頂部から延びる錐体をその延びる方向に対して斜めに切断した形状を有する錐状部１４とから構成される。
【００１８】
詳細には、柱状部１３は、四角柱形状を有し、支持面１１Ｓ内に区画された正方形形状の底面から延びる４つの側面１３Ｄを備える。側面１３Ｄは、支持面１１Ｓに直交している。また、錐状部１４は、四角錐をその延びる方向に対して斜めに切断した形状を有しており、４つの側面１４Ｄと、これらの側面１４Ｄの各々と辺を共有して繋がる１つの尖端面１４Ｔとを備えている。
【００１９】
側面１４Ｄは、支持面１１Ｓに対して傾斜しており、１つの側面１４Ｄは、１つの側面１３Ｄと１辺を共有している。尖端面１４Ｔもまた、支持面１１Ｓに対して傾斜しており、尖端面１４Ｔに含まれる辺は、いずれも、支持面１１Ｓに対して傾斜している。図１に示す例では、尖端面１４Ｔが有する頂点のなかで最も基体部１１に近い頂点、すなわち、最も突起部１２の基端側に位置する頂点は、錐状部１４における基端側の端部、すなわち、柱状部１３と接する端部に位置している。こうした構成においては、尖端面１４Ｔにおける最も基体部１１に近い頂点を尖端面１４Ｔと共有する側面１４Ｄは、三角形形状を有する。
【００２０】
尖端面１４Ｔは、最も基体部１１に近い頂点と最も基体部１１から離れた頂点とを結ぶ直線に対して線対称な形状を有し、最も基体部１１から離れた頂点が、突起部１２の尖端の点である尖端点Ｐを構成している。
【００２１】
突起部１２の周面は、上記４つの側面１３Ｄと、４つの側面１４Ｄと、尖端面１４Ｔとから構成される。突起部１２の支持面１１Ｓからの長さは、尖端点Ｐにて最も大きくなっている。
【００２２】
突起部１２は、その内部に、突起部１２の基端から先端に向けて延びる１つの主流路１５ｍと、主流路１５ｍから突起部１２の周面に向けて延びる１つの副流路１５ｓとを有している。主流路１５ｍと副流路１５ｓとは互いに連通し、主流路１５ｍおよび副流路１５ｓの各々は、突起部１２の内部に、流体を流すことの可能な空間を区画している。主流路１５ｍは支持面１１Ｓを貫通してマイクロニードル１０の外部と連通し、副流路１５ｓは突起部１２の周面に開口している。
【００２３】
マイクロニードル１０の備える突起部１２の数は１つであってもよいし、複数であってもよい。マイクロニードル１０が１つの突起部１２を備える場合、突起部１２は支持面１１Ｓの中央に位置することが好ましい。また、マイクロニードル１０が複数の突起部１２を備える場合、複数の突起部１２は、支持面１１Ｓ上に、例えば、格子状や、円形状や、同心円状に配列される。
【００２４】
［流路の詳細構成］
図２〜図４を参照して、主流路１５ｍおよび副流路１５ｓの詳細な構成について説明する。図２（ａ）は、主流路１５ｍおよび副流路１５ｓの外形を実線で示し、突起部１２の外形を二点鎖線で示す図であり、図２（ｂ）は、副流路１５ｓの延びる方向に沿った突起部１２の断面を示す図である。
【００２５】
図２（ａ）および（ｂ）が示すように、主流路１５ｍは、突起部１２の中央部に位置し、突起部１２の長さ方向、すなわち、支持面１１Ｓと直交する方向に沿って延びている。主流路１５ｍの延びる方向における両端部のうち、突起部１２の基端側の端部は開口端である。例えば、主流路１５ｍは、基体部１１を貫通して基体部１１における支持面１１Ｓとは反対側の面に開口している。一方、主流路１５ｍの延びる方向における両端部のうち、突起部１２の先端側の端部は、閉塞されている。すなわち、主流路１５ｍにおける突起部１２の先端側の端部は、突起部１２の尖端面１４Ｔに達していない。
【００２６】
副流路１５ｓは、突起部１２の幅方向、すなわち、支持面１１Ｓと平行な方向に沿って延びている。副流路１５ｓの延びる方向における両端部のうち、一方の端部は主流路１５ｍに接続し、他方の端部は、突起部１２における錐状部１４の側面１４Ｄに開口している。尖端面１４Ｔおよび柱状部１３の側面１３Ｄは、流路の端部である開口を有していない。
【００２７】
主流路１５ｍと副流路１５ｓとによって、突起部１２の内部には、主流路１５ｍの開口端から副流路１５ｓの開口へ向かう流体の流路が形成されており、この流路は、主流路１５ｍと副流路１５ｓとの接続部分で折れ曲がっている。
【００２８】
主流路１５ｍおよび副流路１５ｓの各々について、各流路の延びる方向と直交する断面において各流路が区画する領域は円形状を示す。主流路１５ｍの延びる方向と直交する断面において主流路１５ｍが区画する領域の面積が主流路面積Ｍｓであり、１つの主流路１５ｍにおいて、主流路面積Ｍｓは一定である。副流路１５ｓについて、副流路１５ｓの延びる方向と直交する断面において副流路１５ｓが区画する領域の面積が副流路面積Ｓｓであり、１つの副流路１５ｓにおいて、副流路面積Ｓｓは一定である。
副流路面積Ｓｓは、３００μｍ２以上であり、７００μｍ２以上であることが好ましい。また、副流路面積Ｓｓは、８０００μｍ２以下であることが好ましく、２０００μｍ２以下であることがさらに好ましい。
主流路面積Ｍｓは、３０００μｍ２以上７００００μｍ２以下であることが好ましい。主流路面積Ｍｓと副流路面積Ｓｓとは、等しくてもよいし、異なっていてもよい。
【００２９】
突起部１２の長さＬｔは、突起部１２の長さ方向、すなわち、支持面１１Ｓと直交する方向における支持面１１Ｓから突起部１２の尖端点Ｐまでの長さである。突起部１２の長さＬｔは、皮膚の最外層である角質層を貫通し、かつ、皮下へ到達しない長さであることが好ましく、具体的には２００μｍ以上２０００μｍ以下であることが好ましい。
【００３０】
また、柱状部１３の長さＬｃは、突起部１２の長さ方向における支持面１１Ｓから柱状部１３の頂部までの長さであり、柱状部１３の長さＬｃは、突起部１２の長さＬｔの１／２０以上１／２以下であることが好ましい。
【００３１】
突起部１２の幅Ｗｔは、突起部１２の幅方向、すなわち、支持面１１Ｓと平行な方向における突起部１２の最大の長さである。つまり、突起部１２の幅Ｗｔは、支持面１１Ｓ内に区画された突起部１２の底面が示す正方形の対角線の長さである。突起部１２の幅Ｗｔは、１５０μｍ以上１０００μｍ以下であることが好ましい。
【００３２】
主流路１５ｍの高さＨｍは、突起部１２の長さ方向における支持面１１Ｓからの主流路１５ｍの長さであり、すなわち、支持面１１Ｓから、主流路１５ｍにおける突起部１２の先端側の端部までの長さである。主流路１５ｍの高さＨｍは、突起部１２の長さＬｔよりも小さい。
【００３３】
副流路１５ｓの高さＨｓは、突起部１２の長さ方向における支持面１１Ｓから副流路１５ｓの開口の中心Ｃまでの距離である。開口の中心Ｃは、開口が区画する領域が示す図形の重心であり、副流路１５ｓの延びる方向と直交する各断面において副流路１５ｓが区画する領域の重心を通る線上に位置する。例えば、副流路１５ｓが上記各断面において円形であり、副流路１５ｓが円筒形状である場合には、上記円の中心を通る線、すなわち、上記円筒の中心軸の端部に、副流路１５ｓの開口の中心Ｃが位置する。
【００３４】
副流路１５ｓの高さＨｓは、１００μｍ以上であることが好ましい。換言すれば、副流路１５ｓの中心Ｃと、支持面１１Ｓとは、１００μｍ以上、離れていることが好ましい。副流路１５ｓの高さＨｓが１００μｍ以上であれば、突起部１２に供給された薬剤が、突起部１２における支持面１１Ｓの付近、すなわち、皮膚の表面に近い部位から流れ出ることが抑えられる。そのため、皮内に投与すべき薬剤が皮膚の表面に漏れ出ることが抑えられる。なお、副流路１５ｓの高さＨｓは、１５００μｍ以下であることが好ましい。
【００３５】
副流路１５ｓは、図２（ｂ）が示すように、主流路１５ｍにおける突起部１２の先端側の端部と同じ高さから延びていてもよい。あるいは、副流路１５ｓは、図３が示すように、主流路１５ｍと接続される端部において、主流路１５ｍにおける突起部１２の先端側の端部よりも、突起部１２の基端側に位置してもよい。いずれの場合であれ、副流路１５ｓの高さＨｓは、主流路１５ｍの高さＨｍよりも小さい。
【００３６】
図２（ｂ）に示す構成では、副流路１５ｓと主流路１５ｍとの接続部分において、主流路１５ｍにおける突起部１２の先端側の端部の位置と、副流路１５ｓにおける突起部１２の先端側の端部の位置とは、突起部１２の長さ方向において一致している。
【００３７】
一方、図３に示す構成では、突起部１２の長さ方向において、主流路１５ｍは、副流路１５ｓを越えて突起部１２の先端側へ延び、副流路１５ｓと主流路１５ｍとの接続部分には、段差部１６が形成されている。図３に示す構成は、図２（ｂ）に示す構成と比較して、主流路１５ｍの後に副流路１５ｓを形成する方法によってマイクロニードル１０を製造する場合に、主流路１５ｍと副流路１５ｓとの位置合わせに高い精度が必要とされない。
【００３８】
図４が示すように、支持面１１Ｓと対向する方向から見て、突起部１２の尖端点Ｐは、尖端面１４Ｔの縁部に位置する。副流路１５ｓが開口している側面１４Ｄは、突起部１２の尖端点Ｐを含まない側面１４Ｄであって、尖端面１４Ｔの有する辺のなかで傾斜の下側に位置する辺、すなわち、突起部１２の基端に近い辺を尖端面１４Ｔと共有する側面１４Ｄである。換言すれば、副流路１５ｓは、４つの側面１４Ｄを、尖端点Ｐに近い２つ側面１４Ｄと尖端点Ｐから遠い２つ側面１４Ｄとに分けたとき、尖端点Ｐから遠い２つの側面１４Ｄのいずれかに開口している。尖端点Ｐに近い側面１４Ｄは、尖端面１４Ｔの縁部のなかで尖端点Ｐを含む辺を尖端面１４Ｔと共有する側面１４Ｄであり、尖端点Ｐから遠い側面１４Ｄは、尖端面１４Ｔの縁部のなかで尖端点Ｐを含まない辺を尖端面１４Ｔと共有する側面１４Ｄである。
【００３９】
尖端点Ｐが尖端面１４Ｔの縁部に位置する構成では、突起部１２が皮膚に刺さるとき、突起部１２は、尖端面１４Ｔを押圧する力、すなわち、突起部１２を突起部１２の中心に対して尖端点Ｐが位置する側に倒そうとする力を大きく受ける。したがって、副流路１５ｓが、尖端点Ｐから遠い側面１４Ｄに開口している構成であれば、副流路１５ｓが尖端点Ｐに近い側面１４Ｄに開口している構成と比較して、上記突起部１２を尖端点Ｐが位置する側に倒そうとする力に対する突起部１２の強度が高められる。
【００４０】
［作用］
図５を参照して、本実施形態のマイクロニードル１０の作用について説明する。
図５が示すように、マイクロニードル１０は、注射筒３０の備える外筒３１の筒先に取り付けられる。薬剤の投与に際しては、マイクロニードル１０が薬剤の投与対象の皮膚に押し当てられることによって、突起部１２が皮膚を刺す。そして、突起部１２が皮膚を刺した状態で、押子３２がマイクロニードル１０に向けて押し込まれる。押子３２が押し込まれることによって、外筒３１に充填されている液状の薬剤ｌｍが、突起部１２の主流路１５ｍに供給され、さらに、薬剤ｌｍは、主流路１５ｍから副流路１５ｓへ流れる。そして、薬剤ｌｍは、突起部１２の側面１４Ｄの開口から出て皮内に入る。
【００４１】
従来のように、突起部の長さ方向に沿った貫通孔の端部が突起部の尖端付近に開口している構成では、突起部の長さ方向に沿って薬剤が放出されることに対し、本実施形態の突起部１２からは、突起部１２の幅方向に沿って薬剤が放出される。突起部１２が皮膚に刺さった状態において、皮内の組織は、突起部１２の長さ方向よりも幅方向に広く広がっているため、従来の構成よりも、本実施形態の構成の方が、皮下への薬剤の漏れを抑えて皮内に薬剤を拡散させやすい。
【００４２】
また、突起部１２は、その長さ方向に沿って尖端点Ｐから皮膚に挿入される。そのため、従来のように突起部の長さ方向に沿った貫通孔の端部が突起部の尖端付近に開口している構成よりも、本実施形態のように、突起部１２の長さ方向とは異なる方向に延びる副流路１５ｓの端部が突起部１２の周面に開口している構成の方が、穿孔の過程で薬剤の流路内に皮膚の組織が入り込みにくい。
【００４３】
ここで、副流路面積Ｓｓが小さいと、突起部１２からの薬剤の流出口が小さくなるため、薬剤が副流路１５ｓから皮内へ円滑に流れ出にくい。副流路面積Ｓｓが３００μｍ２以上であることによって、副流路１５ｓから皮内へ薬剤を円滑に放出することが可能であり、副流路面積Ｓｓが７００μｍ２以上であれば、特に、副流路１５ｓから皮内への薬剤の放出が円滑に進む。
【００４４】
さらに、副流路面積Ｓｓが８０００μｍ２以下であれば、ヒトはもちろん、試験として小動物を投与対象とする場合でも、皮膚の厚さに対する副流路１５ｓの開口の大きさが大きすぎないため、皮内への薬剤の的確な投与が可能である。
【００４５】
このように、本実施形態のマイクロニードル１０によれば、薬剤の円滑な投与が可能である。その結果、薬剤の押圧に要する力の増大や薬剤の投与に要する時間の増大が抑えられるため、薬剤の投与者や被投与者の負担が大きくなることを抑えられる。また、皮内に広がることのできる薬剤の量が制限されることに起因して薬剤が皮膚の表面や皮下に流出することが抑えられるため、薬剤が所望の位置とは異なる部位に漏れ出して皮内に投与される薬剤の量が少なくなることも抑えられる。
【００４６】
また、突起部１２が、先端に向けて尖る錐状部１４を有していることによって、皮膚に突起部１２が刺さりやすい。その一方で、突起部１２が、柱状部１３を有しているため、突起部が錐状部１４のみから構成される場合、すなわち、支持面１１Ｓに対して傾斜した側面が支持面１１Ｓまで延びる場合と比較して、突起部によって形成された孔の径が皮膚の表面付近で広がることが抑えられる。その結果、皮内に投与された薬剤が皮膚の表面に漏れにくくなる。特に、副流路１５ｓは、錐状部１４の側面１４Ｄに開口し、柱状部１３の側面１３Ｄは、副流路１５ｓの端部である開口を有していないため、薬剤が皮膚の表面に漏れにくくなる効果が高く得られる。
【００４７】
［マイクロニードルの製造方法］
上記マイクロニードル１０の材料および製造方法について説明する。
突起部１２を形成するための材料は特に限定されず、突起部１２は、シリコンやステンレス、チタン、コバルトクロム合金、マグネシウム合金等の金属材料から形成されていてもよい。また、突起部１２は、汎用のプラスチック、医療用のプラスチック、および、化粧品用のプラスチック等の樹脂材料から形成されていてもよい。樹脂材料としては、例えば、ポリエチレン、ポリプロピレン、ポリスチレン、ポリアミド、ポリカーボネート、環状ポリオレフィン、ポリ乳酸、ポリグリコール酸、ポリカプロラクトン、アクリル、ウレタン樹脂、芳香族ポリエーテルケトン、エポキシ樹脂、および、これらの樹脂の共重合材料等が挙げられる。
基体部１１の材料は特に限定されず、基体部１１は、例えば、上述の突起部１２の材料として例示した材料から形成されればよい。
【００４８】
マイクロニードル１０は、基体部１１と突起部１２とが一体に形成された一体成形物であってもよいし、基体部１１と突起部１２とが各別に形成された後に接合されることによって形成されてもよいし、金属材料と樹脂材料との組み合わせにより形成されていてもよい。例えば、突起部１２が金属製かつ基体部１１が樹脂製であってもよいし、その逆に突起部１２が樹脂製かつ基体部１１が金属製であってもよい。
【００４９】
基体部１１と突起部１２とが各別に形成される場合や、マイクロニードル１０が金属材料と樹脂材料との組み合わせにより形成される場合には、必要に応じて、マイクロニードル１０を構成する各別の部分を密接させるためのシール剤、接着剤、ガスケット、Ｏ−リング等を組み合わせて使用してもよい。
【００５０】
マイクロニードル１０の形成方法としては、例えば、機械加工によって、基体部１１と突起部１２との外形を形成した後に、主流路１５ｍとなる孔および副流路１５ｓとなる孔を形成する方法が用いられる。具体的には、柱体に錐体もしくは錐台が接続された形状の構造体が形成され、この構造体がその長さ方向に対して斜めに切断されることによって、柱状部１３と錐状部１４とから構成される突起部１２の外形が形成される。
【００５１】
あるいは、マイクロニードル１０が樹脂材料から形成される場合には、射出成形と機械加工との組み合わせによって、マイクロニードル１０が形成されてもよい。例えば、射出成形によって基体部１１と突起部１２との外形および主流路１５ｍとなる孔が形成された後、機械加工によって副流路１５ｓとなる孔が形成される。
あるいは、複数の可動金型の組み合わせによって、射出成形のみを利用して、マイクロニードル１０が形成されてもよい。
主流路１５ｍや副流路１５ｓを形成するために用いられる機械加工方法としては、例えば、レーザー加工が挙げられる。
【００５２】
以上説明したように、本実施形態によれば、以下の効果が得られる。
（１）突起部１２が、主流路１５ｍから延びて突起部１２の周面に開口する副流路１５ｓを有しているため、皮下への薬剤の漏れを抑えて皮内に薬剤を拡散させやすい。そして、こうした副流路１５ｓにおける副流路面積Ｓｓが３００μｍ２以上であることによって、副流路１５ｓから皮内へ薬剤を円滑に放出することができる。さらに、副流路面積Ｓｓが７００μｍ２以上であれば、副流路１５ｓから皮内へ薬剤をより円滑に放出することができる。
【００５３】
（２）副流路面積Ｓｓが８０００μｍ２以下であることにより、ヒトはもちろん、皮膚の厚さに対する副流路１５ｓの開口の大きさが大きすぎないため、皮内への薬剤の的確な投与が可能である。
【００５４】
（４）副流路１５ｓが、４つの側面１４Ｄのうち、尖端点Ｐを含まない側面１４Ｄに開口している。こうした構成によれば、皮膚への穿孔時に突起部１２が受ける力、すなわち、突起部１２を突起部１２の中心に対して尖端点Ｐが位置する側に倒そうとする力に対する突起部１２の強度が高められる。
【００５５】
（５）突起部１２が、先端に向けて尖る錐状部１４を有していることによって、皮膚に突起部１２が刺さりやすい。その一方で、突起部１２が、柱状部１３を有しているため、突起部１２によって形成された孔の径が皮膚の表面付近で広がることが抑えられる。その結果、皮内に投与された薬剤が皮膚の表面に漏れにくくなる。そして、副流路１５ｓが錐状部１４の周面に開口しているため、薬剤が皮膚の表面に漏れにくくなる効果が高く得られる。
【００５６】
［変形例］
上記実施形態は、以下のように変更して実施することが可能である。
・主流路１５ｍおよび副流路１５ｓの各々について、流路の延びる方向と直交する断面にて流路が区画する領域の形状は円形でなくてもよく、例えば、矩形であってもよい。また、上記断面にて主流路１５ｍが区画する領域の形状と、上記断面にて副流路１５ｓが区画する領域の形状とは異なってもよい。副流路１５ｓが区画する領域の形状に関わらず、薬剤の円滑な放出のためには、副流路面積Ｓｓは３００μｍ２以上であればよく、さらに、副流路面積Ｓｓは７００μｍ２以上であることが好ましい。
【００５７】
・突起部１２の形状は、上記実施形態の形状に限られない。例えば、突起部の形状は、柱体の上面に錐体の底面が接続された立体を、その延びる方向に対して斜めに切断した形状であれば、尖端面１４Ｔにおける最も基体部１１に近い頂点は、柱体と錐体との境界よりも突起部の先端側に位置してもよいし、突起部の基端側に位置してもよい。
【００５８】
また例えば、突起部は、円錐や角錐を、その延びる方向に対して斜めに切断した形状を有していてもよい。図６に例示する突起部１７は、四角錐をその延びる方向に対して斜めに切断した形状を有する。この場合、突起部１７の周面は、支持面１１Ｓから支持面１１Ｓに対して傾斜した方向に延びる４つの側面１７Ｄと、４つの側面１７Ｄと繋がる尖端面１７Ｔであって、支持面１１Ｓに対して傾斜した尖端面１７Ｔとから構成される。また、突起部が、円錐をその延びる方向に対して斜めに切断した形状を有している場合には、突起部の周面は、支持面１１Ｓから延びる曲面である側面と、側面と繋がり、支持面１１Ｓに対して傾斜した尖端面とから構成される。
【００５９】
また例えば、突起部は、角柱や円柱をその延びる方向に対して斜めに切断した形状を有していてもよいし、傾斜した尖端面を有さず、円錐形状や角錐形状のように、支持面１１Ｓと対向する方向から見て、突起部の尖端点が突起部の中央部に位置する形状を有していてもよい。さらには、突起部の尖端面は湾曲していてもよいし、突起部の周面には溝や段差が形成されていてもよい。要は、突起部は、皮膚を刺すことの可能な形状であればよい。
【００６０】
突起部が、突起部の幅方向の大きさが突起部の先端から基端に向かって支持面１１Ｓまで徐々に大きくなる形状を有する場合、突起部の基端付近における強度が高められる。一方、突起部が、突起部の幅方向の大きさが一定である部分を基端部に有する場合、幅方向の大きさが変化する場合と比較して、突起部を皮膚に刺す際の抵抗を小さく抑えられる。
【００６１】
・突起部１２が、主流路１５ｍから延びて突起部１２の周面に開口する副流路１５ｓを有していれば、副流路１５ｓの開口の位置や副流路１５ｓの延びる方向は限定されない。例えば、副流路１５ｓは、尖端点Ｐに近い側面１４Ｄに開口していてもよいし、尖端面１４Ｔや柱状部１３の側面１３Ｄの面内、あるいは、突起部１２の周面を構成する面のなかで互いに隣接する面を跨ぐ位置に開口していてもよい。また、副流路１５ｓは、突起部１２の幅方向とは異なる方向に延びていてもよく、換言すれば、支持面１１Ｓに対して傾斜した方向に延びていてもよい。また、主流路１５ｍと副流路１５ｓとが接続される部分において、副流路１５ｓにおける突起部１２の先端側の端部は、主流路１５ｍにおける突起部１２の先端側の端部よりも、突起部１２の先端側に位置してもよい。
【００６２】
・突起部１２は、主流路１５ｍから延びて突起部１２の周面に開口する複数の副流路１５ｓを有していてもよい。図７は、突起部１２が２つの副流路１５ｓを有する例を示す。突起部１２の強度が特定の位置で過度に低下することを抑えるためには、複数の副流路１５ｓの高さＨｓは互いに異なっていることが好ましく、また、支持面１１Ｓと対向する方向から見て、複数の副流路１５ｓが主流路１５ｍから互いに異なる方向に延びていることが好ましい。例えば、各副流路１５ｓの開口する側面１４Ｄは、他の副流路１５ｓの開口する側面１４Ｄとは異なることが好ましい。
【００６３】
突起部１２が、複数の副流路１５ｓを有している場合、薬剤の円滑な放出のためには、副流路１５ｓの各々について、副流路面積Ｓｓが３００μｍ２以上であればよく、さらに、副流路面積Ｓｓは７００μｍ２以上であることが好ましい。
【００６４】
・マイクロニードル１０の使用形態は、注射筒３０に取り付けられて用いられる形態に限られない。突起部１２の主流路１５ｍへ、注射筒３０とは異なる器具によって薬剤が供給されてもよい。また、薬剤の投与後に、突起部１２は、基体部１１と分離されて、投与対象の皮内に残されてもよい。
【００６５】
・マイクロニードル１０によって薬剤を投与される対象は、人に限らず、他の動物であってもよい。また、上述した実施形態の構成、および、変形例の構成の各々は、適宜組み合わせて実施することができる。
【００６６】
［実施例］
上述したマイクロニードルについて、具体的な実施例を用いて説明する。
＜マイクロニードルの作製＞
マイクロニードルの材料としてポリカーボネートを用い、射出成形によって、板状の基体部とともに、底面が正方形である四角柱の上面に接続された四角錐をその延びる方向に対して斜めに切断した形状の構造体であって、内部に主流路となる孔を有する構造体を形成した。さらに、レーザー加工によって、上記構造体に副流路となる孔を形成することにより、突起部を形成した。レーザー加工によって形成する孔の形状を変更することによって、副流路面積Ｓｓの互いに異なる試験例１〜１１のマイクロニードルを得た。
【００６７】
試験例１〜１１のマイクロニードルのいずれについても、突起部の外形は図１に示した形状であり、錐状部の側面の支持面に対する傾きは８０°であり、突起部の長さＬｔは７５０μｍであり、柱状部の長さＬｃは１００μｍである。また、試験例１〜１１のマイクロニードルのいずれについても、主流路の高さＨｍは６００μｍであり、主流路の延びる方向と直交する断面にて主流路が区画する領域の形状は円形であり、その直径は１００μｍである。また、試験例１〜１１のマイクロニードルのいずれについても、副流路の高さＨｓは、４５０μｍであり、副流路は、錐状部の側面のなかで突起部の尖端点Ｐから遠い側面に開口している。
【００６８】
試験例１〜６のマイクロニードルにおいて、副流路の延びる方向と直交する断面にて副流路が区画する領域の形状は円形であり、その直径は試験例ごとに異なる。
【００６９】
試験例７〜１１のマイクロニードルにおいて、副流路の延びる方向と直交する断面にて副流路が区画する領域の形状は矩形であり、その長辺の長さと短辺の長さとの組み合わせは、試験例ごとに異なる。
【００７０】
＜液体の放出能力の評価＞
試験例１〜１１のマイクロニードルについて、液体の放出能力の評価を行った。各マイクロニードルを、純水が充填された注射筒に取り付け、この純水を０．２ＭＰａの力で押圧し続けて突起部の副流路から大気中に純水を放出させ、１０００μＬの純水の放出が完了するまでに要する時間を計測した。純水の押圧は、圧力計を接続したチューブを注射筒の外筒に押子の代わりに挿入し、チューブ内に、チューブ内が０．２ＭＰａになるようにガスを供給することにより行った。
【００７１】
表１は、試験例１〜１１のマイクロニードルについて、副流路の形状および副流路面積Ｓｓと、上記純水の放出に要した時間の測定結果を示す。なお、副流路面積Ｓｓは、少数第１位を四捨五入して示している。
【００７２】
図８は、横軸を副流路面積Ｓｓ、縦軸を純水の放出に要した時間として、表１の結果をグラフに表した図であり、図９は、図８のうち、副流路面積Ｓｓが３０００μｍ２以下である領域を拡大して示す図である。すなわち、図９には、試験例１〜５について得られた結果が示されている。
【００７３】
【表１】
2018171330.tif 000003
【００７４】
図８および図９が示すように、副流路面積Ｓｓが１００μｍ２程度である試験例１においては、放出時間が他の試験例と比べて極めて大きく、副流路面積Ｓｓが３００μｍ２未満の範囲においては、副流路面積Ｓｓの増加に伴って、放出時間が急激に小さくなる。そして、副流路面積Ｓｓが３００μｍ２以上の範囲においては、副流路面積Ｓｓが３００μｍ２未満の水準と比べて放出時間は小さく保たれ、副流路面積Ｓｓの増加による放出時間の変化は緩やかである。特に、副流路面積Ｓｓが７００μｍ２以上の範囲においては、副流路面積Ｓｓの増加による放出時間の変化が小さい。なお、純水を押圧する力の大きさを０．１ＭＰａ以上０．３ＭＰａ以下の範囲で変更した場合にも、副流路面積Ｓｓと放出時間との間には同様の傾向が認められた。
【００７５】
以上の結果により、副流路面積Ｓｓが３００μｍ２以上であれば、副流路面積Ｓｓが３００μｍ２未満である場合と比較して、放出時間が顕著に小さくなり、副流路からの円滑な薬剤の吐出が可能であることが示された。さらに、副流路面積Ｓｓが７００μｍ２以上であれば、放出時間は最小付近となり、副流路からのより円滑な薬剤の吐出が可能であることが示された。
【符号の説明】
【００７６】
１０…マイクロニードル、１１…基体部、１１Ｓ…支持面、１２，１７…突起部、１３…柱状部、１３Ｄ…側面、１４…錐状部、１４Ｄ…側面、１４Ｔ…尖端面、１５ｍ…主流路、１５ｓ…副流路、１６…段差部、３０…注射筒、３１…外筒、３２…押子、Ｐ…尖端点。
【図１】
2018171330.tif 000004
【図２】
2018171330.tif 000005
【図３】
2018171330.tif 000006
【図４】
2018171330.tif 000007
【図５】
2018171330.tif 000008
【図６】
2018171330.tif 000009
【図７】
2018171330.tif 000010
【図８】
2018171330.tif 000011
【図９】
2018171330.tif 000012